【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
テープカートリッジが装着されるカートリッジ装着部と、
前記カートリッジ装着部の底面に設けられた検出開口から出没可能に構成された作動子を有し、前記テープカートリッジに収容された印刷テープの種別を検出する検出部と、
前記カートリッジ装着部に設けられ、前記テープカートリッジが備えるコア挿入筒部に挿入される凸部と、
前記印刷テープに印刷するサーマルヘッドと、を備えたテープ印刷装置であって、
前記テープカートリッジは、前記カートリッジ装着部に装着された際、前記カートリッジ装着部の底面に面する底壁部と、前記底壁部の周縁部から立設した周壁部と、を有するカートリッジケースを有し、
前記カートリッジケースは、
インクリボンと、前記インクリボンを巻回した繰出しコアと、前記インクリボンを巻き取る巻取りコアと、を収容するインクリボン収容エリアと、
前記テープカートリッジが前記カートリッジ装着部に装着される際、前記サーマルヘッドおよび前記サーマルヘッドを覆うヘッドカバーが挿入されるヘッド挿入孔と、
前記印刷テープおよび前記印刷テープを巻回したテープコアを収容するテープ収容エリアと、を有し、
前記カートリッジ装着部に前記テープカートリッジが装着された際の平面視において、前記作動子の前記検出開口から露出する部分は、前記テープ収容エリアより外側に位置し、かつ前記テープ収容エリアの前記インクリボン収容エリアと前記ヘッド挿入孔とで構成される第１領域側とは異なる位置に設けられることを特徴とするテープ印刷装置。
【請求項２】
前記作動子の前記検出開口から露出する部分は、前記カートリッジ装着部に前記テープカートリッジが装着された際の平面視において、前記凸部を基準として、前記第１領域と反対側に設けられる、こと特徴とする請求項１記載のテープ印刷装置。
【請求項３】
前記作動子は、一端側が前記検出開口から突出し、装着された前記テープカートリッジと接触する接触部を有し、
前記テープカートリッジが前記カートリッジ装着部に装着される際、
前記作動子の前記接触部は、平面視において、前記テープカートリッジの前記周壁部と重なる位置に設けられることを特徴とする請求項１または２に記載のテープ印刷装置。
【請求項４】
前記カートリッジ装着部に設けられ、前記テープカートリッジが備えるプラテンローラーに挿入されるプラテン軸をさらに備え、
前記作動子は、平面視において、前記凸部を挟んで前記プラテン軸の反対側に設けられることを特徴とする請求項１ないし３のいずれか一項に記載のテープ印刷装置。
【請求項５】
前記カートリッジケースは、第１ケースと、第２ケースと、を組み合わせて構成され、
前記第１ケースと前記第２ケースの一方に組立てピン、他方に組立てピン挿入孔が設けられ、
前記テープカートリッジが前記カートリッジ装着部に装着されている際、
前記作動子は、平面視において、前記組立てピン挿入孔に掛かる領域に設けられることを特徴とする請求項１ないし４のいずれか一項に記載のテープ印刷装置。
【請求項６】
前記検出部は、
前記作動子を前記検出開口に没入させる第１のカートリッジが前記カートリッジ装着部に装着された際、前記作動子の位置に基づいて第１検出信号を出力し、
凹部を有し、前記作動子を前記検出開口から突出させたまま維持する第２のカートリッジが前記カートリッジ装着部に装着された際、前記作動子の位置に基づいて前記第１検出信号とは異なる第２検出信号を出力することを特徴とする請求項１ないし５のいずれか一項に記載のテープ印刷装置。
【請求項７】
カートリッジ装着部の底面のテープロールに対応する位置に設けられた第１凸部と、前記カートリッジ装着部の底面に設けられたプラテン軸と、前記カートリッジ装着部の底面に設けられた第２凸部と、
前記カートリッジ装着部の底面から出没可能な作動子と、前記作動子の位置に基づき検出信号を生成可能なセンサー本体と、を有する検出部と、を備え、
前記第２凸部および前記作動子と、前記プラテン軸との間に前記第１凸部が位置する、テープ印刷装置の、前記カートリッジ装着部に装着可能なテープカートリッジであって、
凹部と、前記第２凸部が挿入される開口とを有し、前記テープロールを収容するカートリッジケースと、
前記カートリッジケース内に配置され、前記プラテン軸が挿入されるプラテンローラーと、を備え、
前記カートリッジケースは、前記カートリッジ装着部に前記テープカートリッジが装着された状態で、平面視において、前記作動子と重なる位置に被検知部である前記凹部が設けられることを特徴とするテープカートリッジ。
【請求項８】
前記カートリッジケースは、前記カートリッジ装着部に前記テープカートリッジが装着された状態において、前記カートリッジ装着部の底面に面する対向面を有し、
前記凹部は、前記カートリッジケースの前記対向面側の周縁に設けられ、前記テープカートリッジを前記カートリッジ装着部に装着する方向を装着方向とするとき、前記カートリッジ装着部に前記テープカートリッジが装着された状態において、前記装着方向において前記対向面と比べて前記カートリッジ装着部から離れた位置にある底部を有し、且つ、前記凹部の周壁は前記カートリッジケースの周壁を成すことを特徴とする請求項７に記載のテープカートリッジ。
【請求項９】
前記第２凸部が挿入される前記開口は、前記凹部の前記底部に設けられることを特徴とする請求項８に記載のテープカートリッジ。
【請求項１０】
カートリッジ装着部の底面のテープロールに対応する位置に設けられた第１凸部と、前記カートリッジ装着部の底面に設けられたプラテン軸と、前記カートリッジ装着部の底面に設けられた第２凸部と、
前記カートリッジ装着部の底面から出没可能な作動子と、前記作動子の位置に基づき検出信号を生成可能なセンサー本体と、を有する検出部と、を備え、
前記第２凸部および前記作動子と、前記プラテン軸との間に前記第１凸部が位置する、テープ印刷装置の、前記カートリッジ装着部に装着可能なテープカートリッジであって、
前記第２凸部が挿入される開口を有し、前記テープロールを収容するカートリッジケースと、
前記カートリッジケース内に配置され、前記プラテン軸が挿入されるプラテンローラーと、を備え、
前記カートリッジケースは、前記カートリッジ装着部に前記テープカートリッジが装着された状態で、
前記作動子が位置する被検知領域が設けられることを特徴とするテープカートリッジ。
【請求項１１】
前記カートリッジケースは、第１ケースと、第２ケースと、を組み合わせて構成され、
前記第１ケースと前記第２ケースの一方に組立てピン、他方に組立てピン挿入孔が設けられ、
前記被検知領域は、平面視において、前記組立てピン挿入孔と重なる領域に設けられることを特徴とする請求項１０に記載のテープカートリッジ。
【請求項１２】
カートリッジ装着部と、前記カートリッジ装着部の底面に設けられた検出開口から出没可能に構成された作動子を用いてテープカートリッジの印刷テープの種別を検出する検出部と、前記印刷テープに印刷するサーマルヘッドと、を備えたテープ印刷装置の前記カートリッジ装着部に装着されるテープカートリッジであって、
前記カートリッジ装着部に前記テープカートリッジが装着された状態において、前記カートリッジ装着部の底面に面する底壁部と、前記底壁部の周縁部から立設した周壁部と、を有するカートリッジケースを備え、
前記カートリッジケースは、
インクリボンと、前記インクリボンを巻回した繰出しコアと、前記インクリボンを巻き取る巻取りコアと、を収容するインクリボン収容エリアと、
前記カートリッジ装着部に前記テープカートリッジが装着される際に前記サーマルヘッドが挿入されるヘッド挿入孔と、
前記インクリボン収容エリアと前記ヘッド挿入孔とで構成される第１領域と、前記印刷テープおよび前記印刷テープを巻回したテープコアを収容するテープ収容エリアと、を有し、
前記テープカートリッジが前記カートリッジ装着部に装着された際の平面視において、前記カートリッジケースの前記底壁部のうち前記作動子の前記検出開口から露出する部分に対応する領域は、前記テープ収容エリアより外側であり、かつ前記テープ収容エリアの前記第１領域側とは反対側の位置であることを特徴とするテープカートリッジ。
【請求項１３】
カートリッジ装着部と、前記カートリッジ装着部の底面に設けられた検出開口から出没可能に構成された作動子を用いてテープカートリッジの印刷テープの種別を検出する検出部と、を備えたテープ印刷装置の前記カートリッジ装着部に装着されるテープカートリッジにおいて、
前記テープカートリッジが前記カートリッジ装着部に装着された際、前記カートリッジ装着部の底面に面する対向面を含む底壁部と、前記底壁部の周縁部から立設した周壁部と、を有するカートリッジケースを備え、
前記底壁部の前記対向面のうち、前記周壁部が立設した前記周縁部には、前記テープカートリッジが前記カートリッジ装着部に装着された際、前記テープ印刷装置の前記検出開口から突出した前記作動子が検知する被検知領域が設けられることを特徴とするテープカートリッジ。
【請求項１４】
第１のカートリッジと第２のカートリッジとを含み、
カートリッジ装着部の底面のテープロールに対応する位置に設けられた第１凸部と、前記カートリッジ装着部の底面に設けられたプラテン軸と、前記カートリッジ装着部の底面に設けられた第２凸部と、前記カートリッジ装着部に設けられた検出開口から出没可能な作動子と、前記作動子の位置に基づき検出信号を生成可能なセンサー本体と、を有する検出部と、を備え、
前記カートリッジ装着部に前記第１のカートリッジが装着された際に前記作動子の第１検出位置に基づき前記センサー本体が第１検出信号を生成し、前記カートリッジ装着部に前記第２のカートリッジが装着された際に前記作動子の第２検出位置に基づき前記センサー本体が第２検出信号を生成し、
前記第２凸部および前記作動子は、前記第１凸部を挟んで前記プラテン軸の反対側の領域に位置する、テープ印刷装置の、前記カートリッジ装着部に装着可能なテープカートリッジセットであって、
前記第１のカートリッジは、前記カートリッジ装着部に装着された際に、前記作動子を前記検出開口に没入させ、前記第２のカートリッジは、前記カートリッジ装着部に装着された際に、前記作動子を前記検出開口から突出したまま維持し、
前記第１のカートリッジは、前記第２凸部が挿入される第１開口を有する第１カートリッジケースと、前記第１カートリッジケース内に配置された第１テープロールと、前記第１カートリッジケース内に配置され、前記プラテン軸が挿入される第１プラテンローラーと、を備え、前記カートリッジ装着部に装着された状態で、前記テープ印刷装置の前記作動子を前記第１検出位置に位置させる第１被検知領域が設けられ、
前記第２のカートリッジは、前記第２凸部が挿入される第２開口を有する第２カートリッジケースと、前記第２カートリッジケース内に配置された第２テープロールと、前記第２カートリッジケース内に配置され、前記プラテン軸が挿入される第２プラテンローラーと、を備え、前記カートリッジ装着部に装着された状態で、前記テープ印刷装置の前記作動子を第２検出位置に位置させる第２被検知領域が設けられることを特徴とするテープカートリッジセット。
【手続補正２】
【補正対象書類名】明細書
【補正対象項目名】０００７
【補正方法】変更
【補正の内容】
【０００７】
本発明の他のテープカートリッジは、カートリッジ装着部の底面のテープロールに対応する位置に設けられた第１凸部と、カートリッジ装着部の底面に設けられたプラテン軸と、カートリッジ装着部の底面に設けられた第２凸部と、カートリッジ装着部の底面から出没可能な作動子と、作動子の位置に基づき検出信号を生成可能なセンサー本体と、を有する検出部と、を備え、第２凸部および作動子と、プラテン軸との間に第１凸部が位置する、テープ印刷装置の、カートリッジ装着部に装着可能なテープカートリッジであって、第２凸部が挿入される開口を有し、テープロールを収容するカートリッジケースと、カートリッジケース内に配置され、プラテン軸が挿入されるプラテンローラーと、を備え、カートリッジケースは、カートリッジ装着部にテープカートリッジが装着された状態で、作動子が位置する被検知領域が設けられる。
【手続補正３】
【補正対象書類名】明細書
【補正対象項目名】００２１
【補正方法】変更
【補正の内容】
【００２１】
図４に基づいて、テープカートリッジ１０１を＋Ｚ側から平面視したときの、上記の各構成体の配置について説明する。カートリッジケース１１１は、大きさの異なる２つの略矩形を、平面視において略Ｌ字状に繋ぎ合わせた形状を有する。ヘッド挿入孔１１８は、平面視において略矩形状に形成され、カートリッジケース１１１のうち、後述する第１領域１３０の−Ｘ側、且つ−Ｙ側の角部の内側に設けられている。ヘッド挿入孔１１８の＋Ｙ側、且つ−Ｘ側には、プラテンローラー１０５が設けられている。また、プラテンローラー１０５は、一部がヘッド挿入孔１１８内に、＋Ｙ方向側から−Ｙ方向側へ突出している。テープ送出口１１５は、プラテンローラー１０５より−Ｘ側のカートリッジケース１１１の周壁部に設けられている。ヘッド挿入孔１１８の＋Ｘ側には、インクリボン１１７が巻回された繰出しコア１０７および巻取りコア１０９を収容する、インクリボン収容エリア１１０が設けられている。なお、インクリボン収容エリア１１０とヘッド挿入孔１１８とで構成される領域を、第１領域１３０という。巻取りコア１０９は、ヘッド挿入孔１１８の＋Ｘ側に設けられており、繰出しコア１０７から繰り出されて、ヘッド挿入孔１１８の＋Ｙ側、−Ｘ側、および−Ｙ側の周囲を搬送されたインクリボン１１７を巻き取る。繰出しコア１０７は、巻取りコア１０９の＋Ｘ側、且つ＋Ｙ側に設けられている。ヘッド挿入孔１１８およびインクリボン収容エリア１１０の＋Ｙ側には、テープ１１３が巻回されたテープコア１０３を収容する、テープ収容エリア１２０が設けられている。テープ収容エリア１２０の−Ｘ側の周壁部は、テープ送出口１１５が設けられた周壁部と、面一に形成されている。また、テープ収容エリア１２０の＋Ｘ側の周壁部は、インクリボン収容エリア１１０の＋Ｘ側の周壁部よりも、−Ｘ側に設けられている。換言すると、テープ収容エリア１２０のＸ方向の長さは、ヘッド挿入孔１１８およびインクリボン収容エリア１１０を合わせた第１領域１３０のＸ方向の長さよりも短い。また、テープ収容エリア１２０の＋Ｙ方向の周壁部と、＋Ｘ側の周壁部または−Ｘ側の周壁部とが交差する周壁部は、平面視において円弧状に面取りされた曲面に形成されている。
【手続補正４】
【補正対象書類名】明細書
【補正対象項目名】００６３
【補正方法】変更
【補正の内容】
【００６３】
また、制御回路８３は、カット無し印刷モードにおいて、フルカッター１７を作動させず、ハーフカッター１９を作動させる構成でもよい。この構成は、第２カートリッジ１７９に収容されたテープ１１３が、フルカッター１７のカット機能に影響を及ぼすおそれがあるが、ハーフカッター１９のカット機能に影響を及ぼすおそれが少ない場合に、特に有効である。これとは逆に、制御回路８３は、カット無し印刷モードにおいて、フルカッター１７を作動させ、ハーフカッター１９を作動させない構成でもよい。この構成は、第２カートリッジ１７９に収容されたテープ１１３が、フルカッター１７のカット機能に影響を及ぼすおそれは少ないが、ハーフカッター１９のカット機能に影響を及ぼすおそれがある場合に、特に有効である。また、テープ印刷装置１は、フルカッター１７およびハーフカッター１９の双方を備えた構成に限定されず、いずれか一方のみを備えた構成でもよい。